(57)【要約】【課題】紙載台上に載置された紙葉束を切断線に沿って断裁する断裁装置を小型コンパクトで安価に製造することが可能な紙葉束断裁方法及び装置を提供する。【解決手段】束状の紙葉類Ｐを所定の切断線Ｘに沿って直線的に断裁する装置であって、紙葉束を支持する紙載台１５と、上記紙載台１５の切断位置に紙葉束を押圧保持するプレス手段２０と、上記紙載台１５上の紙葉の切断線Ｘに沿って移動するベルト・チエーンなどの刃担持体２６と、上記紙葉類Ｐの切断長さＬ０より短い間隔で上記刃担持体２６に複数固定配置された断裁刃２５と、上記刃担持体２６を上記切断線Ｘに沿って移動する駆動手段と、上記複数の断裁刃２５を上記切断線Ｘに沿って直線運動するように案内するガイド手段３５と、上記複数の断裁刃２５若しくは上記紙載台１５を切り込み方向に移動する刃送り機構とを備える。【選択図】図１
2008100297.tif 000002
【特許請求の範囲】
【請求項１】
束状の紙葉類を所定の切断線に沿って直線的に断裁する装置であって、
紙葉束を支持する紙載台と、
上記紙載台の切断位置に紙葉束を押圧保持するプレス手段と、
上記紙載台上の紙葉の切断線に沿って移動するベルト・チエーンなどの刃担持体と、
上記紙葉類の切断長さより短い間隔で上記刃担持体に複数固定配置された断裁刃と、
上記刃担持体を上記切断線に沿って移動する刃走行駆動手段と、
上記複数の断裁刃を上記切断線に沿って直線運動するように案内するガイド手段と、
上記複数の断裁刃若しくは上記紙載台を切り込み方向に移動する刃送り機構と、
を備え、
上記ガイド手段は、上記切断線方向に上記断裁刃を案内するように上記刃担持体と係合するガイド部材及び／又は上記刃担持体に固定された断裁刃と係合するガイド部材で構成され、
上記刃送り機構は、
（１）上記刃担持体を上記紙載台に対して垂直方向に上下動するシフト手段か、
又は（２）上記刃担持体を上記紙載台に対して垂直方向に傾斜させるシフト手段か、
又は（３）上記刃担持体を上記紙載台に対して変形させるシフト手段か、
又は（４）上記紙載台を上記刃担持体に対して垂直方向に上下動するシフト手段、
で構成されていることを特徴とする紙葉類断裁装置。
【請求項２】
前記刃担持体は、前記紙載台に支持された紙葉類の切断線に沿って走行するベルト、チェーンその他の可撓性走行部材で構成され、
前記刃走行駆動手段は、上記可撓性走行部材を支持する一対のプーリ、スプロケットなどの回転輪と、この回転輪に連結された駆動モータとで構成され、
前記刃送り機構は、（１）上記一対の回転輪を前記紙載台に対して垂直方向に上下動するシフト手段か、又は（２）上記一対の回転輪の一方を前記紙載台に対して垂直方向に上下動するシフト手段か、又は（３）上記可撓性走行部材を前記紙載台に対して垂直方向に変位させるシフト手段で構成されていることを特徴とする請求項１に記載の紙葉類断裁装置。
【請求項３】
前記可撓性走行部材は、一対の回転輪に回転自在に支持されたチェーン部材又はベルト部材で構成され、この可撓性走行部材は前記紙載台に対して略平行する平面内でループ形状を描くように配置され、
前記刃送り機構は、前記一対の回転輪を前記紙載台に対して垂直方向に上下動するシフト手段で構成されていることを特徴とする請求項２に記載の紙葉類断裁装置。
【請求項４】
前記可撓性走行部材は、一対の回転輪に回転自在に支持されたチェーン部材又はベルト部材で構成され、
この可撓性走行部材は前記紙載台に対して垂直な平面内でループ形状を描くように配置され、
前記刃送り機構は、（１）前記一対の回転輪を前記紙載台に対して垂直方向に上下動するシフト手段か、又は（２）上記一対の回転輪の一方を前記紙載台に対して垂直方向に上下動するシフト手段か、又は（３）上記可撓性走行部材を前記紙載台に対して垂直方向に変位させるシフト手段で構成されていることを特徴とする請求項２に記載の紙葉類断裁装置。
【請求項５】
前記帯状走行体はチェーンで構成され、前記複数の断裁刃はチェーンのリンクセグメントを連結する連結ピンに固定されていることを特徴とする請求項１又は２に記載の紙葉類断裁装置。
【請求項６】
前記複数の断裁刃は円板刃で構成され、
この円板刃は前記刃担持体に回転自在に軸承され前記紙葉類の切断線に沿って転動しながら前記紙葉類の一端から他端に移動することを特徴とする請求項１乃至５の何れかの項に記載の紙葉類断裁装置。
【請求項７】
前記断裁刃は平板形状の平刃で構成され、この平刃は前記刃担持体に固定され、走行方向に傾斜又は湾曲した刃先を有することを特徴とする請求項１乃至５の何れかの項に記載の紙葉類断裁装置。
【請求項８】
前記刃担持体はローラチェーンで構成され、
前記ガイド手段は上記ローラチェーンのリンクセグメントに摺接するチェーン摺接面と、
前記断裁刃に摺接する刃摺接面を備え、前記刃担持体に固定された断裁刃を前記切断線に沿って直線運動するように案内することを特徴とする請求項１乃至７の何れかの項に記載の紙葉類断裁装置。
【請求項９】
前記紙載台には、前記切断線に断裁刃が当接する刃受部材が設けられ、
この刃受部材は軟質の板状部材又はローラ部材で構成されていることを特徴とする請求項１乃至８の何れかの項に記載の紙葉類断裁装置。
【請求項１０】
前記紙載台の前記切断線には、前記断裁刃との間で紙葉を挟み断裁する固定刃が設けられ、
この固定刃は前記切断線に沿って前記紙葉類の最大切断長さより長く配置され、前記複数の断裁刃と噛合して紙葉を断裁することを特徴とする請求項１乃至８の何れかの項に記載の紙葉類断裁装置。
【請求項１１】
前記固定刃には、前記刃担持体に固定された断裁刃が前記紙載台上の紙葉類と接する切断開始位置の前方側でこの断裁刃を切断線方向に案内する刃先ガイド面が備えられていることを特徴とする請求項１０に記載の紙葉類断裁装置。
【請求項１２】
装置フレームと、
束状の紙葉類を所定の切断位置に保持する紙載台と、
上記装置フレームに支持され、上記紙載に対して上下動自在の可動フレームと、
上記紙載台上の紙葉類の切断線に沿って間隔を隔てた位置で上記可動フレームに回動自在に支持された一対の回転輪と、
上記一対の回転輪に支持されたチェーン、ベルトなどの可撓性走行部材と、
上記可撓性走行部材に担持された複数の断裁刃と、
上記可動フレームを上記紙載台に対して上下動する刃送り駆動手段と、
上記回転輪を駆動回転する刃走行駆動手段と、
上記紙載台上の紙葉束を押圧保持するプレス手段と、
上記プレス手段を作動するプレス駆動手段とを備え、
上記複数の断裁刃は上記紙葉類の切断長さより短い間隔で上記可撓性走行部材に配置され、
上記プレス駆動手段と上記刃送り駆動手段及び／又は上記刃走行駆動手段は共通の駆動モータで構成されていることを特徴とする紙葉類断裁装置。
【請求項１３】
前記プレス手段は、
前記紙載台上の紙葉類を押圧するプレス部材と、
このプレス部材を上記紙葉類側に押圧する加圧スプリングと、
上記加圧スプリングに押圧力を付与するプレス駆動手段と、
で構成され、
上記プレス駆動手段は前記シフト手段若しくは前記刃送り駆動手段と共通の駆動モータに連結されていることを特徴とする請求項１乃至１２の何れかの項に記載の紙葉類断裁装置。
【請求項１４】
前記刃担持体を切断線に沿って移動する刃走行駆動手段と、
前記刃送り機構のシフト手段を駆動する刃送り駆動手段とは、
それぞれ走行速度及び刃送り速度が変更可能に構成され、
この刃走行駆動手段と刃送り駆動手段は、前記紙葉束の材質・厚さ及び／又は前記断裁刃の損耗状態に応じて駆動速度を変更可能である請求項１乃至１３の何れかの項に記載の紙葉類断裁装置。
【請求項１５】
前記刃担持体を切断線に沿って移動する刃走行駆動手段と前記刃送り機構のシフト手段を駆動する刃送り駆動手段とを制御する制御手段は、
（１）紙葉束の上層紙を切断する切断開示時には刃走行速度を低速に制御し、
（２）紙葉束の中間層紙を切断する際には刃走行速度を高速に制御し、
（３）紙葉束の最下層紙を切断する際には刃走行速度を低速に制御することを特徴とする請求項１乃至１４の何れかの項に記載の紙葉類断裁装置。
【請求項１６】
前記刃担持体を切断線に沿って移動する刃走行駆動手段と前記刃送り機構のシフト手段を駆動する刃送り駆動手段とを制御する制御手段は、
上記刃走行駆動手段と上記刃送り駆動手段を間欠的に交互に駆動することを特徴とする請求項１乃至１４の何れかの項に記載の紙葉類断裁装置。
【請求項１７】
前記刃担持体に配置される前記複数の断裁刃は紙葉束の切断長さより短い間隔と長い間隔で設けられ、
前記刃担持体を切断線に沿って移動する刃走行駆動手段と前記刃送り機構のシフト手段を駆動する刃送り駆動手段とを制御する制御手段は、
紙載台上の紙葉束と上記断裁刃が接しない状態で一時的に上記刃走行駆動手段を停止し、この停止中に上記刃送り駆動手段を駆動し、次いで刃送り駆動手段を停止した状態で上記刃走行駆動手段を駆動することを特徴とする請求項１６に記載の紙葉類断裁装置。
【請求項１８】
予め設定された所定の切断線に沿って移動する可撓性の刃担持体と、この刃担持体に所定間隔で複数固定された断裁刃を有し、この複数の断裁刃で紙載台に支持された紙葉束を断裁する方法であって、
上記紙載台に紙葉束をプレス手段で押圧保持し、
次いで上記複数の断裁刃を上記切断線に沿ってガイド手段で案内して走行させ、
この断裁刃を上記紙葉束の最上紙から断裁しながら厚さ方向に徐々に歩進させて紙葉束を断裁することを特徴とする紙葉束断裁方法。
【請求項１９】
前記刃担持体は可撓性のチェーンで構成され、
前記複数の断裁刃はそれぞれ円形刃であって前記紙葉類の切断線に沿って転動しながら紙葉束の一端から他端に移動することを特徴とする請求項１８に記載の紙葉束断裁方法。
【発明の詳細な説明】
【技術分野】
【０００１】
本発明は紙載台上に保持された紙葉束を断裁する断裁方法及び断裁装置に係わり、例えば製本装置などで冊子状に製本綴じされた紙葉束をトリミングカットする際の断裁機構の改善に関する。
【背景技術】
【０００２】
一般にこの種の断裁装置は、画像形成装置などから搬出されるシートを１枚ずつ切断する例えば特許文献１に開示されているシート切断装置と、紙葉束を例えば回転テーブルに強固に保持して断裁刃で複数の紙葉を同時に断裁する紙葉束断裁装置が知られている。特に後者の紙葉束断裁装置は例えば特許文献２に開示されているように紙葉束を紙載台に載置し、この紙葉束を平刃状の断裁刃で断裁する所謂ギロチン式断裁装置と、紙載台上の紙葉束を回転刃で切断方向に沿って断裁する装置が知られている。いずれの装置も多数枚の紙葉束を紙載台にプレス手段で押圧して強固に支持し、この紙葉束を回転刃或いは上下往復動する平刃で断裁している。このため特許文献２のものは紙葉束を油圧機構で押圧支持している。
【特許文献１】特開平１０−１３８１９４号公報
【特許文献２】特開２００３−７１７８０号公報
【発明の開示】
【発明が解決しようとする課題】
【０００３】
上述のように、複数枚の紙葉類を束状に積載してこれを断裁する場合に、従来は回転刃で複数の紙葉を同時に切断しながら切断線に沿って移動することによって断裁している。また同様に切断線に沿ってギロチン刃で複数の紙葉を同時に切断している。この為次の問題がある。まず束状の紙葉類を回転歯或いはギロチン刃（斧状平刃）で複数枚を同時に切断するため非常に大きな剪断力を必要とする。単純に比較すると一枚の紙葉をスライス状にカットする剪断力に対して、５０枚の紙葉を同時にカットする場合には５０倍以上の剪断力を必要とする。従って複数枚の紙葉を同時にカットする切断刃は強固で刃落ちしないように形成しなければならず、高価であり刃先の消耗などランニングコストも高くなる。これと同時に切断刃を保持する装置フレームも、またこれを駆動する駆動モータも大型で堅牢に構成しなければならない。同様に断裁する紙葉類は大きな剪断力を受けるため回転台などに強固に保持しなければならない。例えば前掲特許文献２の装置は紙葉束を油圧シリンダで押圧保持するなど大型装置を用いて紙葉束を断裁位置に保持している。
【０００４】
このように従来の装置は、例えば１枚の紙葉を定規に沿ってカッタで切断する場合に比べ切断刃は堅牢であり、これを切断のため駆動する装置は大型となり、更に紙葉束を押圧保持するプレス装置も堅牢で大型となる欠点がある。このため装置は大型で高価となり、そのランニングコストも高くなる問題があった。
【０００５】
そこで本発明者は積層状の紙葉束を切断線に沿って最上紙から徐々に下層紙を切断することによって切断に要する剪断力を小さくすることが出来、紙葉束を保持する押圧力も小さくすることが可能であるとの着想に至った。
【０００６】
本発明は紙載台上に載置された紙葉束を切断線に沿って断裁する断裁装置を小型コンパクトで安価に製造することが可能な紙葉束断裁方法及び装置の提供をその主な課題としている。また、本発明は紙葉束の断裁に要する断裁刃とその駆動機構及び紙葉束を押圧保持するプレス機構を簡単な構成とすることをその課題としている。
更に本発明は、断裁する紙葉束の材質・厚さに応じて断裁速度（刃送り速度）を変更することにより、小型な装置構成で大容量の紙葉束を断裁することが可能な断裁装置の提供をその課題としている。
【課題を解決するための手段】
【０００７】
上記課題を達成するため本発明は以下の構成を採用する。束状の紙葉類Ｐを所定の切断線Ｘに沿って直線的に断裁する装置であって、紙葉束を支持する紙載台１５と、上記紙載台１５の切断位置に紙葉束を押圧保持するプレス手段２０と、上記紙載台１５上の紙葉の切断線Ｘに沿って移動するベルト・チエーンなどの刃担持体２６と、上記紙葉類Ｐの切断長さＬ０より短い間隔で上記刃担持体２６に複数固定配置された断裁刃２５と、上記刃担持体２６を上記切断線Ｘに沿って移動する駆動手段と、上記複数の断裁刃２５を上記切断線Ｘに沿って直線運動するように案内するガイド手段３５と、上記複数の断裁刃２５若しくは上記紙載台１５を切り込み方向に移動する刃送り機構とを備える。そして、上記ガイド手段３５は、上記切断線Ｘ方向に上記断裁刃２５を案内するように上記刃担持体２６と係合するガイド部材及び／又は上記刃担持体２６に固定された断裁刃２５と係合するガイド部材で構成し、上記刃送り機構は、（１）上記刃担持体２６を上記紙載台１５に対して垂直方向に上下動するシフト手段か、又は（２）上記刃担持体２６を上記紙載台１５に対して垂直方向に傾斜させるシフト手段か、又は（３）上記刃担持体２６を上記紙載台１５に対して変形させるシフト手段か、又は（４）上記紙載台１５を上記刃担持体２６に対して垂直方向に上下動するシフト手段で構成する。
【０００８】
前記刃担持体２６は、前記紙載台１５に支持された紙葉類Ｐの切断線Ｘに沿って走行するベルト、チェーンその他の可撓性走行部材で構成し、前記駆動手段は、上記可撓性走行部材を支持する一対のプーリ、スプロケットなどの回転輪２７と、この回転輪２７に連結された駆動モータとで構成し、前記刃送り機構は、（１）上記一対の回転輪２７を前記紙載台１５に対して垂直方向に上下動するシフト手段か、又は（２）上記一対の回転輪２７の一方を前記紙載台１５に対して垂直方向に上下動するシフト手段か、又は（３）上記可撓性走行部材を前記紙載台１５に対して垂直方向に変位させるシフト手段で構成する。
【０００９】
前記可撓性走行部材は、一対の回転輪２７に回転自在に支持されたチェーン部材又はベルト部材で構成し、この可撓性走行部材は前記紙載台１５に対して略平行する平面内でループ形状を描くように配置し、前記刃送り機構は、前記一対の回転輪２７を前記紙載台１５に対して垂直方向に上下動するシフト手段で構成する。
【００１０】
前記可撓性走行部材は、一対の回転輪２７に回転自在に支持されたチェーン部材又はベルト部材で構成し、この可撓性走行部材は前記紙載台１５に対して垂直な平面内でループ形状を描くように配置し、前記刃送り機構は、（１）前記一対の回転輪２７を前記紙載台１５に対して垂直方向に上下動するシフト手段か、又は（２）上記一対の回転輪２７の一方を前記紙載台１５に対して垂直方向に上下動するシフト手段か、又は（３）上記可撓性走行部材を前記紙載台１５に対して垂直方向に変位させるシフト手段で構成する。
【００１１】
前記帯状走行体はチェーンで構成し、前記複数の断裁刃２５はこのチェーンのリンクセグメントを連結する連結ピンに固定する。
【００１２】
前記複数の断裁刃２５は円板刃で構成し、この円板刃は前記刃担持体２６に回転自在に軸承し、前記紙葉類Ｐの切断線Ｘに沿って転動しながら前記紙葉類Ｐの一端から他端に移動する。
【００１３】
前記刃担持体２６はローラチェーンで構成し、前記ガイド手段３５は上記ローラチェーンのリンクセグメントに摺接するチェーン摺接面３５ｂと、前記断裁刃２５に摺接する刃摺接面３５ｃを備え、前記刃担持体２６に固定された断裁刃２５を前記切断線Ｘに沿って直線運動するように支持する。
【００１４】
前記断裁刃２５は平板形状の平刃で構成し、この平刃は前記刃担持体２６に固定し、走行方向に傾斜又は湾曲された刃先を有する。
【００１５】
前記刃担持体２６はローラチェーンで構成し、前記ガイド手段３５は上記ローラチェーンのリンクセグメントに摺接するチェーン摺接面３５ｂと、前記断裁刃２５に摺接する刃摺接面３５ｃを備え、前記刃担持体２６に固定された断裁刃２５を前記切断線Ｘに沿って直線運動するように支持する。
【００１６】
前記紙載台１５には、前記切断線Ｘに断裁刃２５が当接する刃受部材が設けられ、この刃受部材は軟質の板状部材又はローラ部材で構成する。
【００１７】
前記紙載台１５の前記切断線Ｘには、前記断裁刃２５との間で紙葉を挟み断裁する固定刃が設けられ、この固定刃は前記切断線Ｘに沿って前記紙葉類Ｐの最大切断長さＬ０より長く配置し、前記複数の断裁刃２５と噛合して紙葉を断裁することを特徴とする。
【００１８】
前記固定刃には、前記刃担持体２６に固定された断裁刃２５が前記紙載台１５上の紙葉類Ｐと接する切断開始位置の前方側でこの断裁刃２５を切断線Ｘ方向に案内するガイド面が一体に備えられている。
【００１９】
装置フレームと、束状の紙葉類Ｐを所定の切断位置に保持する紙載台１５と、上記装置フレームに支持し、上記紙載に対して上下動自在の可動フレーム１２と、上記紙載台１５上の紙葉類Ｐの切断線Ｘに沿って間隔を隔てた位置で上記可動フレーム１２に回動自在に支持された一対の回転輪２７と、上記一対の回転輪２７に支持されたチェーン、ベルトなどの可撓性走行部材と、上記可撓性走行部材に担持された複数の断裁刃２５と、上記可動フレーム１２を上記紙載台１５に対して上下動する刃送り駆動手段と、上記回転輪２７を駆動回転する刃走行駆動手段ＭＬと、上記紙載台１５上の紙葉束を押圧保持するプレス手段２０と、上記プレス手段２０を作動するプレス駆動手段とを備える。そして上記複数の断裁刃２５は上記紙葉類Ｐの切断長さＬ０より短い間隔で上記可撓性走行部材に保持し、上記プレス駆動手段と上記刃送り駆動手段及び／又は上記刃走行駆動手段ＭＬは共通の駆動モータで構成している。
【００２０】
前記プレス手段２０は、前記紙載台１５上の紙葉類Ｐを押圧するプレス部材と、このプレス部材を上記紙葉類Ｐ側に押圧する加圧スプリングと、上記加圧スプリングに押圧力を付与するプレス駆動手段とで構成する。そして上記プレス駆動手段は前記シフト手段若しくは前記刃送り駆動手段と共通の駆動モータに連結する。
【００２１】
前記刃担持体２６を切断線Ｘに沿って移動する刃走行駆動手段ＭＬと、前記刃送り機構のシフト手段を駆動する刃送り駆動手段ＭＳとは、それぞれ走行速度及び刃送り速度が変更可能に構成し、この刃走行駆動手段ＭＬと刃送り駆動手段ＭＳは、前記紙葉束の材質・厚さ及び／又は前記断裁刃２５の損耗状態に応じて駆動速度を変更可能に構成する。
【００２２】
予め設定された所定の切断線Ｘに沿って移動する可撓性の刃担持体２６と、この刃担持体２６に所定間隔で複数固定された断裁刃２５を有し、この複数の断裁刃２５で紙載台１５に支持された紙葉束を断裁する方法であって、上記紙載台１５に紙葉束をプレス手段２０で押圧保持し、次いで上記複数の断裁刃２５を上記切断線Ｘに沿ってガイド手段３５で案内して走行させ、この断裁刃２５を上記紙葉束の最上紙から断裁しながら厚さ方向に徐々に歩進させて紙葉束を断裁する。
【００２３】
前記刃担持体２６は可撓性のチェーンで構成し、前記複数の断裁刃２５はそれぞれ円形刃であって前記紙葉類Ｐの切断線Ｘに沿って転動しながら紙葉束の一端から他端に移動する。
【発明の効果】
【００２４】
本発明は、紙載台に紙葉類を束状に積載保持して予め設定された切断線に沿って断裁する際に、切断線に沿って移動する刃担持体を設けて切断長さより短い間隔で複数の断裁刃を固定し、この断裁刃を切断線に沿って直線運動するように案内するガイド手段と、断裁刃を切り込み方向に移動する刃送り機構を設けたものであるから次の顕著な効果を奏する。
（１）断裁刃は、１枚若しくは数枚の紙葉類を切断する剪断力に耐え得る刃先を備えれば良く、従来の紙葉束を同時に切断する刃先構成に比べ構成が容易であっても切断性能及び耐久性が問題となることがない。従って断裁刃も又これを支持するフレーム構成、モータなどの駆動装置も小型で小容量の装置を採用することが出来る。
（２）断裁刃と同様に紙葉類には大きな剪断力が作用しないため、紙葉類を押圧するプレス機構も簡単な構成で、その駆動装置も小型で小容量のモータを採用することが可能であり、上記断裁刃の構成と相俟って装置全体を小型・コンパクトに構成することが出来る。
（３）また、上記断裁刃は紙葉類の切断長さより短い間隔で多数配置されているから、比較的高速に紙葉束を断裁することが出来、この複数の断裁刃の間隔を蜜にすることによって更に高速に断裁処理することが出来る。
（４）更に、上記断裁刃は複数の断裁刃が順次紙葉束を切断するため、損耗も少なく、また、損耗時の交換も容易で、安価である等、メンテナンス性に富んだ装置の提供が可能である。
（５）本発明は更に、上記刃担持体の走行速度及び刃送り速度を変更可能に構成することによって紙葉束の材質・厚さ或いは断裁刃の損耗状況に応じて断裁刃の走行速度と刃送り量を変更することによって、常に安定した確実な断裁と、その仕上がり品位（切断面の品位）に富んだ断裁が可能であるなどの効果を奏する。
【発明を実施するための最良の形態】
【００２５】
以下図示の好適な実施の態様に基づいて本発明を詳述する。図１は本発明に係わる紙葉類断裁装置の全体構成を示す斜視図であり、図２および図３はその要部の部分説明図である。図４Ａ乃至図４Ｅはその動作状態の説明図である。
【００２６】
図１に示す紙葉類断裁装置Ａは、装置フレーム１０と、紙葉、プラスチックフィルムなどの束状の紙葉類（以下「紙葉束Ｐ」という）を保持する紙載台１５と、この紙載台１５に紙葉束Ｐを押圧保持するプレス手段２０と、予め設定された切断線Ｘに沿って移動する断裁刃２５とから構成されている。そして断裁刃２５は上記切断線Ｘに沿って所定間隔Ｌで複数配置され、切断線Ｘに沿って走行（移動）することによって紙載台上の紙葉束Ｐを切断するように構成されている。以下各構成について説明する。
【００２７】
［装置フレームの構成］
装置フレーム１０は上記紙載台１５と上記断裁刃２５と上記プレス手段２０を支持する適宜の枠体で構成されている。この装置フレーム１０は例えば製本装置などに組み込まれる場合はシート束の搬送機構部に配置され、その装置仕様に応じて適宜の構造で構成される。図示のものは固定フレーム１１と、この固定フレーム１１に支持された可動フレーム１２とから構成されている。固定フレーム１１には紙載台１５が一体的に固定され、可動フレーム１２は紙載台１５に対して上下昇降自在に支持されている。図１に示す構造を説明すると、固定フレーム１１は、紙載台１５を構成する下枠１１ａと、その上方に距離を隔てて略々平行する上枠１１ｂと、この上下枠１１ａ、１１ｂを連結する左右の側枠１１ｃ、１１ｄとの枠組みで構成されている。また上記可動フレーム１２は上記固定フレーム１１の側枠１１ｃ、１１ｄに形成されたガイド溝１１ｅ、１１ｆに嵌合保持され紙載台１５に対して上下動自在に支持されている。その上下機構（後述のシフト手段）については後述する。
【００２８】
［紙載台の構成］
紙載台１５は紙葉束Ｐを束状に載置するテーブル部材で構成され、装置フレーム１０に固定されている。この紙載台１５は装置仕様によって水平姿勢又は垂直姿勢或いは所定角度で傾斜した姿勢で構成される。つまり紙載台１５に紙葉類を搬送する搬送経路（図示せず）の構成に応じて種々の姿勢で配置され、例えば垂直姿勢の場合にはこの紙載台１５に紙葉束Ｐを押圧保持するニップ手段と協働して紙葉束Ｐを保持するように構成される。図示のものは水平姿勢で紙葉束Ｐを搬送する搬送経路（図示せず）に配置される。また、この紙載台１５には、例えば紙葉束Ｐを回転して天部・地部・小口部を断裁するトリミングカットする装置構成（製本装置など）にあっては回転テーブル（図示せず）が備えられる。
【００２９】
［プレス手段の構成］
上述の紙載台１５には紙葉類を断裁位置に押圧保持するプレス手段２０が配置される。これは後述する断裁刃２５で紙葉束Ｐを断裁する際にその剪断力で紙葉束Ｐが位置ズレしないように保持する為であり従来から種々の機構が知られている。その一例を説明すると図８（ａ）に示すプレス手段２０は、前述の可動フレーム１２に加圧スプリング２１を介してプレス部材２２で紙載台上の紙葉束Ｐを押圧保持するようになっている。つまり前記可動フレーム１２に一体形成したブラケット１２ｃ、１２ｄに左右２本の支持ステム２１ａ、２１ｂが嵌合支持され、この支持ステム２１ａ、２１ｂに板状のプレス部材２２が連結固定されている。そしてブラケット１２ｃ、１２ｄとプレス部材２２との間に加圧スプリング２１（図示のものは圧縮スプリング）が嵌装されている。
【００３０】
従って可動フレーム１２を後述するシフト手段で下降すると紙載台上の紙葉束Ｐをプレス部材２２が押圧することとなる。このプレス手段２０の構成は比較的簡素な機構で紙葉束Ｐを比較的弱い力で押圧するように構成され、後述するシフト手段の刃送り駆動手段（シフトモータ）ＭＳも小型・小容量の電磁モータで構成されている。これは後述するように本発明は紙載台１５上の紙葉束Ｐを最上シートから徐々に下層シートを断裁するため後述する断裁刃２５の剪断力が比較的小さく紙葉束Ｐを押圧保持する押圧力を小さくしてもシートが位置ズレする恐れがないためである。
【００３１】
この他プレス手段２０は次の構造で構成しても良い。図８（ｂ）のものはジャッキ構造のプレス手段２０を示し、前記固定フレーム１１に第１揺動レバー２３ａ、２３ｂが回動自在に軸支持され、この第１揺動レバー２３ａ、２３ｂにそれぞれ第２揺動レバー２３ｃ、２３ｄが軸支持され、第２揺動レバー２３ｃ、２３ｄにプレス部材２２が回動自在に軸支持されている。そしてこの第１第２揺動レバー２３ａ〜２３ｄはボールネジ２４で接近・離反するように連結されている。従ってボールネジ２４をプレスモータＭＰで回転すれば第１第２揺動レバー２３ａ〜２３ｄは起立若しくは倒伏することとなりプレス部材２２は紙葉束Ｐの厚さに応じてプレス部材２２を加圧する。このような構成であっても紙載台１５上の紙葉束Ｐをプレス部材２２で押圧支持することが可能である。
【００３２】
［断裁刃の構成］
断裁刃２５は上述の紙載台１５に支持され前記プレス手段２０で押圧保持された紙葉束Ｐを切断線Ｘに沿って断裁する為、次の構成を備えている。断裁刃２５は刃担持体２６に取付けられ、紙葉束Ｐの切断長さ（図２に示すＬ０）より短い間隔Ｌで複数配置され切断線Ｘに沿って走行するように構成されている。この為断裁刃２５は円板形状の円板刃２５Ａ又は平板状の平刃２５Ｂで構成され、下記の刃担持体２６に固定されている。図２及び３には断裁刃２５を、直径Ｄを有する円板刃２５Ａで構成する場合を示し、また図５乃至７には断裁刃２５を平刃２５Ｂで構成する場合を示し、図５及び図６（ａ）乃至（ｃ）は彫刻刀形状（矩形状）の平刃２５Ｂを、図６（ｄ）は半円又は扇形形状の平刃を示す。いずれも刃先形状は片刃又は両刃に形成され、後述するように刃受け側をまな板状の刃受け面で構成する場合には両刃形状に、刃受け側を挟み断裁する固定刃で構成する場合には片刃形状に構成する。
【００３３】
［刃担持体の構成］
上記形状の断裁刃２５Ａ及び２５Ｂは無限ループを描く刃担持体２６に固定される。この刃担持体２６は断裁刃２５を切断線Ｘに沿って走行させるように保持する。この為、刃担持体２６はチェーン、ベルトなどの可撓性走行部材で構成され、図示のものは伝動用チェーン構造を採用している。図２（ｂ）に刃担持体２６に伝動用チェーンを用いた場合の一例を示すが、樹脂或いは金属製のリンクセグメント２６ａを連結ピン２６ｂで連鎖状に連結し、この連結ピン２６ｂには軸ローラ２６ｃが遊動回転するように嵌合されている。このような刃担持体２６に円板刃２５Ａ又は平刃２５Ｂが所定間隔Ｌで複数取付けられている。
【００３４】
図２（ｂ）に示す連鎖状に連結する左リンクセグメント２６ａＬと右リンクセグメント２６ａＲとの間に円板刃２５Ａを連結ピン２６ｂに軸支持してあり、この円板刃２６Ａは連結ピン２６ｂを中心に転動するように取付けられている。そして円板刃２５Ａの直径Ｄは隣接するリンクセグメント２６ａと干渉しない寸法で形成されている。このように形成されたチェーン構造体は左右一対のスプロケット２７Ｒ、２７Ｌに歯合され、各スプロケット２７Ｒ、２７Ｌは前記可動フレーム１２に軸支持されている。そして図２左側のスプロケット２７Ｌには刃走行駆動手段である駆動モータＭＬが連結されている。図示２８はテンションレバーでありチェーン構造体のテンションを調整している。つまりテンションレバー２８はバネ２８ａで図２時計方向に付勢してあり、チェーン構造体が使用途上で摩耗してもバネ２８ａの作用で常に一定の軌跡で断裁刃２５が走行するようになっている。
【００３５】
このように刃担持体２６をチェーン構造体で構成する場合に図３に示す円形刃２５Ａの場合は、連結ピン２６ｂに円板刃２５Ａを嵌合支持し、連結ピン２６ｂを中心に転動するように支持されている。また図５に示すＬ字状に折り曲げた平刃２５Ｂで構成する場合は連結ピン２６ｂに堅固に固定する。同様に図６に示す断裁刃を矩形状の平刃２５Ｂで構成する場合にはチェーン構造体のリンクセグメント２６ａにアタッチメント部材を介在固定し、このアタッチメント部材に断裁刃２５を堅固に固定する。尚上述のチェーン構造体としては、ロールチェーンを図示したが、所謂サイレントチェーンなど、樹脂成形チェーンなどであっても良いことは勿論である。
【００３６】
［異なる刃担持体の構成］
上記刃担持体２６は上述のチェーン構造体に限らず、ベルト部材例えばタイミングベルトであっても良く、この場合にはベルト外表面に円板刃２５Ａ又は矩形状平刃２５Ｂをビスなどで固定する。更に刃担持体２６はワイヤなどの可撓性部材で構成することも可能であり、この場合は後述するガイド手段を構成するホルダー部材に断裁刃を左右走行可能に保持し、この断裁刃に連結したワイヤなどの可撓性部材で断裁刃を走行させる。
【００３７】
［刃担持体の駆動構造］
上述のように複数の断裁刃２５を備えた刃担持体２６は、切断線Ｘに沿って移動走行するように左右一対の回転輪２７に張設される。つまり刃担持体２６がチェーン構造体である場合には前述のスプロケット２７Ｒ、２７Ｌ間に、また刃担持体２６がベルト部材である場合にはプーリ２７Ｒ、２７Ｌ間に架け渡される。そして回転輪の一方２７Ｌには駆動モータなどの刃走行駆動手段ＭＬが連結されている。
【００３８】
従って紙載台１５上に保持された紙葉束Ｐの切断線Ｘに沿って刃担持体２６が張設され、これに取付けられた断裁刃２５が図２左右方向に移動することとなる。この場合刃担持体２６は紙載台１５上の紙葉束Ｐと距離を隔てて略々平行する平面内でループ形状を描くように配置されるか、若しくは垂直な平面内でループ形状を描くように配置される。前者は図５に示すようにスプロケット２７Ｒ、２７Ｌを水平姿勢で紙載台１５の上方に配置し、後者は図３及び図７に示すように鉛直姿勢で左右のスプロケット２７Ｒ、２７Ｌを配置する。このように刃担持体２６を張設する回転輪２７は刃担持体２６が紙載台に対して垂直平面内でループを描くように配置しても、水平平面内でループを描くように配置してもいずれでも良い。尚水平平面内でループを描くように配置する場合は紙載台上の紙葉束Ｐと干渉しないエリア内で断裁刃２５が走行するように配慮する必要がある。
【００３９】
［ガイド手段の構成］
上述の刃担持体２６に支持された複数の断裁刃２５には前記切断線Ｘに沿って直線的に移動走行するようにガイド手段３５が必要となる。図示のものは切断線Ｘに沿って定規状に断裁刃２５を案内するガイド手段３５が設けられ、このガイド手段３５は前記可動フレーム１２か又は前記固定フレーム１１に配置される。前者について説明すると図１に示すように切断線Ｘに沿ってガイド部材（ガイド手段；以下同様）３５が可動フレーム１２に固定されている。そしてこのガイド部材３５には断裁刃２５を嵌合する案内溝３５ａが設けられ、この案内溝３５ａには前記チェーン構造体の軸ローラ２６ｃと摺接してチェーン構造体が蛇行するのを防止するチェーン摺接面３５ｂと、断裁刃２５Ａ（又は２５Ｂ）と摺接してこれを切断線Ｘに沿って直線運動するように案内する刃摺接面３５ｃとが設けられている。
【００４０】
このガイド部材３５は図２（ａ）及び図３（ａ）に示すものと、図５（ａ）乃至図７（ｂ）に示すものはそれぞれ異なる形状で構成されているが、要は断裁刃２５が正確に切断線Ｘに沿って直線運動するように案内するように構成すれば良い。また、断裁刃２５が紙葉束Ｐを切断する際に切断線Ｘに沿って正確に直線運動すれば刃摺接面３５ｃの摺接面積は小さいほど摩擦抵抗が少なくなる。従って上記刃摺接面３５ｃの形状は断裁刃２５の構成に応じて実験的に設定することが好ましい。
【００４１】
［刃先の研磨機構］
特に図７に示すガイド部材３５は、上述のチェーン摺接面３５ｂと刃摺接面３５ｃを備えるのと同時に研磨手段３７を備えている。樹脂製のガイド部材３５には研磨屑除去孔３７ｂとこの開口部に研磨砥石３７ａが備えられ、円板刃２５Ａの切断刃先を研磨砥石で研磨するようになっている。この研磨砥石３７ａはガイド部材３５の適宜個所に部分的に配置され、紙葉束Ｐと接して回転する刃先面を研磨するように作用する。これは断裁刃２５Ａを鉄系金属で構成した場合、湿度環境或いは装置使用間隔が長いと錆の発生が多発することがある。このような場合、紙葉束を試し切断（刃先研磨のための切断）して刃先を研磨することによって耐久性を増長することが出来る。
【００４２】
従って研磨砥石３７ａは研磨屑除去孔３７ｂに刃先と接する位置と退避した位置に出没自在に取付け、例えば操作ネジ（図示せず）を操作することによって研磨砥石３７ａを断裁刃２５Ａに当接する研磨位置に移動して刃先研磨を行い、その後操作ネジの操作で退避させる機構を採用する。これによって紙葉束Ｐの切断面に錆が付着したときは断裁刃２５Ａの刃先を研磨することによって刃を交換することなく継続して使用することが出来る。
【００４３】
［刃送り機構の構成］
上述のように刃担持体２６に固定された複数の断裁刃２５は切断線Ｘに沿って連続的に走行する過程で紙載台上の紙葉束Ｐを上層紙から順次下層紙を切断する。この為刃送り機構４０が設けられる。この刃送り機構４０は（１）刃担持体２６を紙載台１５に対して垂直方向に上下動するシフト手段４１か、又は（２）刃担持体２６を紙載台１５に対して垂直方向に傾斜させるシフト手段４２か、又は（３）刃担持体２６を紙載台１５に対して変形させるシフト手段４３か、又は（４）紙載台１５を刃担持体２６に対して垂直方向に上下動するシフト手段４４のいずれかで構成する。
【００４４】
上記（１）の構成は、前記刃担持体（チェーン構造体）のスプロケット２７Ｒ、２７Ｌを前記可動フレーム１２に支持（軸受け支持）し、この可動フレーム１２を紙載台１５に対して上下動するように構成する。つまり前記可動フレーム１２は固定フレーム１１に形成したガイド溝１１ｅ、１１ｆに嵌合支持され上下動自在に構成されている。そして上記可動フレーム１２は固定フレーム１１に設けた回転軸１３に偏心カム１４が嵌合され、この偏心カム１４を有するブラケット１６に固定されている。そして回転軸１３には刃送り駆動手段を構成するシフトモータＭＳが連結され、図示１３ａは伝動用のタイミングベルトである。従ってシフト手段４１は可動フレーム１２と、この可動フレーム１２を上下動する偏心カム１４と、上記シフトモータＭＳで構成されることとなる。そしてこの可動フレーム１２に刃担持体２６と断裁刃２５Ａが搭載されている。
【００４５】
上記（２）の構成は、図９（ａ）に概念図を示すが上記可動フレーム１２を上記固定フレーム１１に一端を揺動自在に軸支持し、他端を上下揺動自在に支持する。そして前記偏心カム１４によって可動フレーム１２の一端のみを上下動させる。従ってシフト手段４２は可動フレーム１２と、この可動フレーム１２を上下動する偏心カム１４と、上記シフトモータＭＳで構成されることとなる。そしてこの可動フレーム１２に刃担持体２６と断裁刃２５Ａが搭載されている。
【００４６】
上記（３）の構成は、図９（ｂ）に概念図を示すが前記上記固定フレーム１１に刃担持体２６を構成するチェーン構造体のスプロケット２７Ｒを固定し、他端のスプロケット２７Ｌを水平方向に移動自在に軸支持する。そしてこの可動側のスプロケット２７Ｌを付勢スプリング３６で図９（ｂ）左側に付勢する。そこで前述のガイド部材３５と同様のガイド部材２８を固定フレーム１１に上下昇降自在に支持し、例えば前述の偏心カム１４でこのガイド部材２８を上下動する。これによって同図実線状態の断裁刃２５Ａは鎖線状態に紙載台１５上の紙葉束Ｐを断裁する。従ってシフト手段４３は上記ガイド部材２８と、偏心カム１４と、この偏心カム１４を回転駆動するシフトモータＭＳで構成され、このシフトモータＭＳは刃送り駆動手段を構成することとなる。
【００４７】
上記（４）の構成は、図９（ｃ）にその概念図を示すように紙載台１５を、装置フレーム１０を構成する固定フレーム１１に上下昇降自在に支持する。図示のものは例えば前記側枠１１ｃ、１１ｄに形成したガイド溝１１ｅ、１１ｆに紙載台１５を上下昇降自在に支持する。そして刃担持体２６とこれに固定された断裁刃２５は前記可動フレーム１２又は固定フレーム１１に固定する。そこで上記紙載台１５には牽引ワイヤ３８の一端を固定し、ワイヤの他端は巻取りプーリ３９に固定する。この巻取りプーリ３９にシフトモータＭＳを取付け、紙載台１５を上方向に移動シフトする。従って紙載台上の紙葉束Ｐは徐々に上昇し切断線Ｘ方向に走行する断裁刃２５で最上紙から順次切断される。このようにシフト手段４４を紙載台１５と、これを昇降する牽引ワイヤ３８及びシフトモータＭＳで構成することが出来る。この場合には刃送り駆動手段はシフトモータＭＳが構成することとなる。
【００４８】
［刃受け機構の構成］
上述のように刃担持体２６に所定間隔Ｌで配置された断裁刃２５Ａ及び２５Ｂの刃受け構造について説明すると、断裁刃の刃先に当接する刃受け機構は、マナ板状の刃受け部材４５又は固定刃４８で構成される。前者の刃受け部材４５はゴム或いは樹脂などの軟質材で構成され、刃受けローラ４５ａ又は刃受け板部材４５ｂで構成される。図１１（ｂ）に示す刃受けローラ４５ａは前記切断線Ｘに沿って紙載台１５に回転自在（遊動状態）に組み込まれ、紙載台１５に紙葉束Ｐがセットされる際に刃受けローラ４５ａが転動するように構成されている。従ってローラ外周の刃受け面は断裁の都度外周方向に位置変化するためローラ外周は略々均等に損耗され耐久性に富んだ刃受け構造となる。また図１１（ｃ）に示す刃受け板部材４５ｂは軟質の板上部材で構成されている。尚この刃受け板部材４５ｂを損耗に従って位置移動するように構成することによって耐久性に富んだ刃受け構造となる。
【００４９】
次に固定刃４８について図３に基づいて説明する。この固定刃４８は切断線Ｘに沿って紙葉束Ｐの最大切断長さより長く配置され、前記断裁刃２５との間で紙葉を挟み断裁するように構成されている。特に本発明はこの固定刃４８に前記刃担持体２６に支持された断裁刃２５を案内する刃先ガイド面４９が設けられている。これは紙載台上の最下層紙を断裁する際に断裁刃２５が確実に固定刃４８に歯合するように案内するためである。従って固定刃４８の前方側（断裁刃が走行する上流側）でこの断裁刃２５を切断線方向に案内する位置に断裁刃２５と接して切断線Ｘ方向に案内する位置に刃先ガイド面４９が配置されている。
【００５０】
［断裁制御動作］
次に上記各構成の断裁刃２５Ａ及び２５Ｂを駆動制御する断裁動作について説明する。これを図１及び図２に示す構成について説明すると、前記紙載台１５上に紙葉束Ｐを載置し所定の断裁位置にセットする。この紙載束Ｐのセットは通常紙載台１５の上流側に紙葉束搬送手段、例えばグリップ搬送部材或いはニップローラなどを配置し、この紙葉束搬送手段の送り量で紙葉束Ｐの断裁量（カット幅）を設定する。また、紙葉束Ｐの天部・地部・小口部の３方向を断裁（トリミングカット）する場合は紙載台１５の上流側にターンテーブルを装備する。
【００５１】
そこで紙葉束Ｐが図４Ａに示す状態でセットされると、図示しない制御手段はシフトモータＭＳを駆動し、前記回転軸１３を回転して偏心カム１４を回転駆動する。すると図４Ｂの状態に可動フレーム１２が下降し、これに取付けられたプレス部材２２が紙葉束Ｐを押圧支持する。このとき加圧スプリング２１は圧縮されてプレス部材２２を押圧する。尚、前記図８（ｂ）に示すプレス機構の場合はシフトモータＭＳとは異なるプレスモータＭＰを回転駆動することによってプレス部材２２を押下する。
【００５２】
次に制御手段は駆動モータ（刃走行駆動手段）ＭＬを回転駆動し、刃担持体２６を図４Ｃの状態に切断線Ｘに沿って紙葉束Ｐの一端から他端側に移動走行させる。すると刃担持体２６に固定された断裁刃２５Ａは紙葉束Ｐの最上紙から数枚を切断線Ｘに沿って断裁する。この紙葉束Ｐの断裁に合わせて制御手段は前記シフトモータＭＳを回転駆動し偏心カム１４を所定角度回転する。この偏心カム１４の回転は低速度で紙葉束Ｐの断裁状態に合わせて断裁刃２５Ａを徐々に下方に歩進させる。すると図４Ｄの状態に断裁刃２５Ａは紙葉束Ｐの下層紙を断裁する。
【００５３】
次いで紙載台１５上の紙葉束Ｐの下層紙（最下層紙を含む数枚）を断裁する際には図４Ｅの状態に断裁刃２５Ａは前記刃先ガイド面４９に案内されて固定刃４８と噛み合って下層紙を挟み断裁する。このようにして紙載台上の全ての紙葉が断裁されると制御手段は前記シフトモータＭＳを回転（正方向又は逆方向）して偏心カム１４を初期位置に復帰させる。すると図４Ａの状態に断裁刃２５Ａおよびプレス部材２２は復帰し、断裁済の紙葉束Ｐは紙載台１５上に載置された状態で開放される。
【００５４】
上述の動作を繰り返すことによって紙葉束Ｐを順次断裁することが可能であるが、本発明は更に次の配慮を施すことを特徴としている。前記シフトモータ（刃送り駆動手段）ＭＳと前記刃走行駆動モータ（刃走行駆動手段）ＭＬは例えばステッピングモータなどで駆動速度を変更可能に構成してあり次の制御を行う。
【００５５】
［材質・束厚さによる刃走行速度を高低調整］
第１の制御は紙葉束Ｐの材質・厚さ及び／又は前記断裁刃の損耗状態に応じて速度を変更する。これは例えば制御手段を制御ＣＰＵで構成する場合にはこれに付設したコントロールパネルで紙葉束Ｐの厚さ・材質或いは断裁刃の損耗状態を入力する。紙葉束Ｐの厚さは例えば紙載台１５の上流側に厚さ検知手段を設け、その検知結果に応じて紙葉束Ｐが比較的薄いときは刃走行速度と刃送り速度を速く設定し、厚いときには両速度を低速に設定する。
また紙葉束の材質がプラスチックシート或いは厚紙であるときには上記両速度を低速に設定し、その他の場合は高速に設定する。また断裁刃の損耗状態は断裁刃の作動時間を積算するか或いは刃走行駆動モータの負荷（単位距離当たりの走行時間）を検出して、損耗が激しいときには低速駆動する。更に上記コントロールパネルで高精細仕上げか高速仕上げを選択するように構成し、前者の場合は上記両速度を低速駆動し、後者の場合は高速駆動する。
【００５６】
［刃走行速度の高低調整］
次に第２の制御は前記刃走行駆動モータＭＬの駆動速度を紙葉束Ｐの断裁状態によって高低調節する。まず紙葉束Ｐの最上層を切断するときは低速で切断し、断裁刃２５が切断線Ｘに沿って正確な直線で断裁するように速度設定する。次に紙葉束Ｐの中間層は高速で切断する。これによって上層紙の切断面に沿って案内される断裁刃２５を高速走行することによって短時間で断裁処理を可能とする。最後に紙葉束Ｐの下層紙を断裁するときには低速で切断する。これによって断裁刃２５は固定刃４８と正しい姿勢で噛み合って正確に断裁する。このように断裁刃２５の走行高速を高低調節することによって比較的高速で切断面が揃った品位に優れた断裁が可能となる。
【００５７】
［刃走行駆動モータＭＬの間欠駆動］
第３の制御は図１０（ａ）に示すように断裁刃２５を刃担持体２６に間欠的に配置する。例えば同図（ａ）に示すようにループ状の刃担持体２６の上部側２６Ｘ（或いはベルトなど）に断裁刃２５を複数配置し、下部側２６Ｙには断裁刃２５を配置しない。つまり刃担持体２６に断裁刃を切断長さより短い間隔で複数の断裁刃２５を配置する部分と、断裁長さより長い間隔で断裁刃を配置する部分に区分ける。このような構成において制御手段は刃走行駆動モータＭＬを間欠的に駆動する。つまり図示Ｈｐを待機位置（ホームポジション）に設定し、この位置で刃担持体２６を停止して前記刃送りシフトモータＭＳを駆動して断裁刃を切り込み方向に歩進させる。このように制御することによって更に高精細な切断面が得られる。尚この場合、最下層紙の断裁時にのみ刃担持体２６を待機位置に停止して断裁する制御も可能である。
【００５８】
尚このような制御手段のタイミングチャートを図１０（ｂ）に示すが、待機位置にホームポジションセンサＨｐを設け、このセンサからの信号で待機位置に刃担持体２６を停止する。そして所定時間後に刃走行駆動モータＭＬを起動して断裁刃２５Ａが一巡したとき停止する。そして刃送り駆動モータＭＳを起動して偏心カム１４を所定量回転する。すると刃担持体２６と断裁刃２５Ａは所定量降下する。そこで再び刃走行駆動モータＭＳを起動して断裁刃２５Ａを一巡させる。このように刃走行駆動モータＭＬと刃送り駆動モータＭＳを間欠的に駆動することによって紙葉束Ｐに作用する剪断力は更に軽減される。つまり刃を走行させるのと同時に刃を紙葉束内に進入させることがないため、断裁刃２５Ａはスムーズに切断線Ｘに沿って移動し、同時に束厚さ方向に進入する。
尚、このとき図１１（ａ１）（ａ２）（ａ３）に示すように断裁刃２５Ａの外径ｄ１、ｄ２、ｄ３を徐々に大きくするか、又は同図（ａ２）のように断裁刃２５Ａ１、２５Ａ２、２５Ａ３の取付け位置（ｎ１、ｎ２、ｎ３）を徐々にズラせることによって例えば第１の断裁刃２５Ａ１で一枚目の紙葉を、第２の断裁刃で２枚目の紙葉を、第３の断裁刃で３枚目の紙葉を断裁することが出来、高速・短時間で紙葉束の断裁が可能となる。この場合最終紙は固定刃との間で最大径の断裁刃で断裁するようにすることが好ましい。また同図に示すαは紙葉数枚の厚さで適宜設定する。
【００５９】
次に本発明に係わる断裁方法について説明すると、上述の構成から明らかなように予め設定された所定の切断線Ｘに沿って移動する可撓性の刃担持体２６と、この刃担持体２６に所定間隔Ｌで複数固定された断裁刃２５Ａ（２５Ｂ）を有し、この複数の断裁刃で紙載台１５に支持された紙葉束を断裁する方法であり、前記図４の説明からその構成は明白である。そこで上記紙載台に紙葉束をプレス手段２０で押圧保持する（図４Ａ参照）。次いで上記複数の断裁刃２５を上記切断線Ｘに沿ってガイド手段３５で案内して走行させる（図４Ｂ参照）。この断裁刃２５を上記紙葉束Ｐの最上紙から断裁しながら厚さ方向に徐々に歩進させて紙葉束を断裁する（図４Ｃ乃至図４Ｅ参照）。
【図面の簡単な説明】
【００６０】
【図１】本本発明に係わる紙葉類断裁装置の全体構成を示す斜視図。
【図２】図１の装置の要部説明図であり、（ａ）は断裁刃の配置状態、（ｂ）は刃担持体を構成するチェーンの連結構造、（ｃ）は裁断刃（円板刃）の状態を示す。
【図３】図１の装置における断裁刃案内機構の説明図であり、（ａ）は図２（ａ）ｙ−ｙ線断面図を示し、（ｂ）は固定刃に断裁刃を案内する刃先ガイド面の説明図である。
【図４Ａ】紙葉束を断裁する動作状態の説明図である。
【図４Ｂ】紙葉束を断裁する動作状態の説明図である。
【図４Ｃ】紙葉束を断裁する動作状態の説明図である。
【図４Ｄ】紙葉束を断裁する動作状態の説明図である。
【図４Ｅ】紙葉束を断裁する動作状態の説明図である。
【図５】図２の装置と異なる刃担持体とこれに取り付けた断裁刃の形態を示し、（ａ）は断面説明図、（ｂ）は全体説明図である。
【図６】図２の装置と異なる刃担持体とこれに取り付けた断裁刃の形態を示し、（ａ）はその全体説明図、（ｂ）は断面説明図、（ｃ）（ｄ）は断裁刃の形状を示す説明図である。
【図７】図２及び図６断裁刃と異なる刃担持体とこれに取り付けた断裁刃の形態を示し、（ａ）は部分構成図であり、（ｂ）は断面説明図である。
【図８】図２の装置に於けるプレス手段の説明図であり、（ａ）及び（ｂ）はそれぞれ異なる実施形態を示す。
【図９】（ａ）乃至（ｃ）図２の装置に於けるシフト手段と異なる刃送り機構を示す。
【図１０】図２の装置と異なる断裁刃の配置構造の説明図であり、（ａ）はその実施形態の説明図であり、（ｂ）は制御手段のタイミングチャートである。
【図１１】図２の装置における要部の説明図であり、（ａ１）乃至（ａ３）は図２と異なる断裁刃の形態を示す。また（ｂ）（ｃ）は刃受け機構のそれぞれ異なる実施形態を示す。
【符号の説明】
【００６１】
１０    装置フレーム
１１    固定フレーム
１１ａ  下枠
１１ｂ  上枠
１１ｃ  側枠
１１ｄ  側枠
１１ｅ  ガイド溝
１１ｆ  ガイド溝
１２    可動フレーム
１３    回転軸
１３ａ  タイミングベルト
１４    偏心カム
１５    紙載台
１６    ブラケット
２０    プレス手段
２１    加圧スプリング
２１ａ  支持ステム
２１ｂ  支持ステム
２２    プレス部材
２３ａ，２３ｂ  第１揺動レバー
２３ｃ，２３ｄ  第２揺動レバー
２５    断裁刃
２５Ａ  円板刃
２５Ｂ  平刃
２６    刃担持体
２６ａ  リンクセグメント
２６ｂ  連結ピン
２６ｃ  軸ローラ
２７    回転輪
２７Ｒ，２７Ｌ（スプロケット）（プーリ）
２８    テンションレバー
３５    ガイド手段（ガイド部材）
３５ａ  案内溝
３５ｂ  チェーン摺接面
３５ｃ  刃摺接面
３７    研磨手段
４０    刃送り機構
４１〜４４  シフト手段
４５    刃受部材
４８    固定刃
４９    刃先ガイド面
Ａ      紙葉類断裁装置
ＭＬ    駆動モータ（刃走行駆動手段）
ＭＰ    プレスモータ
ＭＳ    シフトモータ（刃送り駆動手段）
Ｐ      紙葉束
Ｘ      切断線
【図１】
2008100297.tif 000003
【図２】
2008100297.tif 000004
【図３】
2008100297.tif 000005
【図４Ａ】
2008100297.tif 000006
【図４Ｂ】
2008100297.tif 000007
【図４Ｃ】
2008100297.tif 000008
【図４Ｄ】
2008100297.tif 000009
【図４Ｅ】
2008100297.tif 000010
【図５】
2008100297.tif 000011
【図６】
2008100297.tif 000012
【図７】
2008100297.tif 000013
【図８】
2008100297.tif 000014
【図９】
2008100297.tif 000015
【図１０】
2008100297.tif 000016
【図１１】
2008100297.tif 000017